(57)【要約】【課題】部品点数と組立工数が削減できるビデオカメラのスピーカ取付構造を提供する。【解決手段】カセット蓋４とカセット蓋シャーシ７との間にスピーカ１１を配設してなるビデオカメラ１において、スピーカ１１のカセット蓋面方向に対する移動を規制するガイド壁９をカセット蓋４の裏面に設けるとともに、カセット蓋シャーシ７に孔７ｂの打ち抜き加工でスプリング片７ｃを成形し、このスプリング片７ｃでスピーカ１１をカセット蓋４に押し付けて固定する。【選択図】  図１
2004328058.tif 000002
【特許請求の範囲】
【請求項１】
カセット蓋とカセット蓋シャーシとの間にスピーカを配設してなるビデオカメラにおいて、上記スピーカのカセット蓋面方向に対する移動を規制する係止部を上記カセット蓋に設けるとともに、上記スピーカをカセット蓋に押し付ける押圧部を上記カセット蓋シャーシに設けたことを特徴とするビデオカメラのスピーカ取付構造。
【請求項２】
上記押圧部がカセット蓋シャーシを打ち抜いて形成したスプリング片であることを特徴とする請求項１に記載のビデオカメラのスピーカ取付構造。
【請求項３】
上記スプリング片がスピーカのケースに当接して接地することを特徴とする請求項２に記載のビデオカメラのスピーカ取付構造。
【請求項４】
上記係止部がカセット蓋に突設されて上記スピーカの周縁に当接するガイド壁であることを特徴とする請求項１ないし請求項３に記載のビデオカメラのスピーカ取付構造。
【発明の詳細な説明】
【０００１】
【発明の属する技術分野】
本発明はビデオカメラのスピーカ取付構造に関するものである。
【０００２】
【従来の技術】
ビデオカメラには、テープ再生時の音声出力をモニターするためのスピーカが設けられている。このスピーカは、カセット蓋と反対側の側壁に設けられたり（特許文献１参照）、図５に示すようにカセット蓋ａに設けられたりする。
【０００３】
図４はカセット蓋ａに対するスピーカの取付構造を示している。カセット蓋ａの裏面にはスピーカｂが金属プレートｃとスクリューｄを用いて取り付けられている。そして、カセット蓋ａはスクリューｅでカセット蓋シャーシｆに取り付けられている。
【０００４】
金属プレートｃの一端にはアースプレートｇがスクリューｄで共締固定されている。そして、カセット蓋ａをスクリューｅでカセット蓋シャーシｆに取り付けると、アースプレートｇがカセット蓋シャーシｆに当接し、スピーカｂのケースが金属プレートｃとアースプレートｇを介して接地される。カセット蓋シャーシｆは、その下端のクリックｈをメカシャーシｉのガイド溝ｊに係合させることで、メカシャーシｉに回動自在に組み付けられる。
【０００５】
【特許文献１】
特開平８−３３６０９４号公報
【０００６】
【発明が解決しようとする課題】
しかし、この構造では、スピーカｂが金属プレートｃとスクリューｄでカセット蓋ａに取り付けられるため、部品点数と組立工数が嵩み、コストアップの要因となる。
【０００７】
本発明は、このような事情に鑑みなされたもので、部品点数と組立工数が削減できるビデオカメラのスピーカ取付構造を提供することを目的とする。
【０００８】
【課題を解決するための手段】
以上の目的を達成するため、本発明のビデオカメラのスピーカ取付構造では、スピーカのカセット蓋面方向に対する移動を規制する係止部をカセット蓋に設けるとともに、スピーカをカセット蓋に押し付ける押圧部をカセット蓋シャーシに設けてある。
【０００９】
かかる構成によれば、スピーカをカセット蓋の係止部に係合させて、カセット蓋をカセット蓋シャーシに取り付けると、カセット蓋シャーシの押圧部がスピーカをカセット蓋に押し付ける。つまり、カセット蓋とスピーカの取り付けが同時に完了する。
【００１０】
上記押圧部はカセット蓋シャーシを打ち抜いて形成したスプリング片であるのが好ましい。
すなわち、スプリング片がカセット蓋シャーシと一体成形されるので、コスト的に有利になる。
【００１１】
上記スプリング片はスピーカのケースに当接して接地するのが好ましい。
すなわち、カセット蓋にスピーカを押し付けるスプリング片を利用して、スピーカの接地が行われる。
【００１２】
上記係止部はカセット蓋に突設されて上記スピーカの周縁に当接するガイド壁であるのが好ましい。
すなわち、ガイド壁がカセット蓋と一体成形されるので、コスト的に有利になる。
【００１３】
【発明の実施の形態】
以下、図面を参照して本発明の実施の形態を説明する。
図５は本発明のスピーカ取付構造を採用したビデオカメラを示している。
このビデオカメラ１はカメラ部２の側方にＶＴＲ部３を配置するとともに、ＶＴＲ部３の側壁にカセット蓋４を設けてある。カセット蓋４には、スピーカ収納用の膨出部５が形成されており、この膨出部５の中央部にスピーカ孔６が多数形成されている。
【００１４】
図１はカセット蓋４をカセット蓋シャーシ７から取り外して示している。
カセット蓋シャーシ７は、その下端のクリック７ａをメカシャーシ８のガイド溝８ａに係合させることで、メカシャーシ８に回動自在に組み付けられる。カセット蓋シャーシ７の中央部には、孔７ｂを打ち抜いてスプリング片（押圧部）７ｃが形成されている。一方、カセット蓋４の裏面には、図３に示すように円周方向に延びる３つのガイド壁（係止部）９と、このガイド壁９に隣接する一対のボス部１０が設けられている。
【００１５】
カセット蓋４をカセット蓋シャーシ７に組み付けるにあたっては、スピーカ１１をガイド壁９内の収めてカセット蓋４の裏面に載せ、カセット蓋４の下部両端の孔４ａにスクリュー１２を通してその先端をカセット蓋シャーシ７の孔７ｄに係合させる一方、カセット蓋シャーシ７の孔７ｅにスクリュー１３を通してその先端をカセット蓋４のボス部１０に係合させる（図２参照）。
【００１６】
つまり、スピーカ１１は、カセット蓋４の面方向に対する移動がガイド壁９によって規制されとともに、スプリング片７ｃによってカセット蓋４の裏面に押し付けられる。この時、カセット蓋シャーシ７のスプリング片７ｃがスピーカ１１のケース１１ａに当接して接地する（図２参照）。このようにスピーカ１１を接地するのは、スピーカ１１がスピーカ孔６からの静電誘導によって帯電すると、静電気がスピーカ１１のリード線を通して回路基板に侵入し、ＩＣを破壊する恐れがあるからである。
【００１７】
かかる構造によれば、カセット蓋４の組み付けにあたっては、スピーカ１１をガイド壁９内の収めてカセット蓋４をカセット蓋シャーシ７に固定するだけで、カセット蓋４とスピーカ１１の組み付けが同時に行えるので、部品点数と組立工数を削減でき、大幅なコストダウンが可能になる。
【００１８】
カセット蓋シャーシ７を打ち抜いてスプリング片７ｃを形成してあるので、スプリング片７ｃをカセット蓋シャーシ７と同時に成形することができ、コスト的に有利になる。
【００１９】
スプリング片７ｃを利用してスピーカ１１のケース１１ａを接地しているので、スピーカの取り付けと接地を同時に行うことができ、組立工数の削減が可能である。
【００２０】
以上、本発明の実施の形態について説明したが、本発明はこれに限定されるものではなく、種々の変形が可能である。
例えば、スピーカ１１の係止部としてガイド壁９をカセット蓋４に設けてあるが、スピーカ１１が収まる凹部をカセット蓋４に形成してもよい。
【００２１】
【発明の効果】
以上のように本発明によれば、カセット蓋のカセット蓋シャーシへの組み付けにあたっては、カセット蓋の係止部にスピーカを係合させてカセット蓋をカセット蓋シャーシに固定するだけよくなるので、部品点数と組立工数を削減でき、大幅なコストダウンが可能になる。
【００２２】
カセット蓋シャーシを打ち抜いてスプリング片を形成すると、スプリング片とカセット蓋シャーシが同時に成形され、コスト的に有利になる。
【００２３】
スプリング片をスピーカのマグネットに当接して接地すると、スピーカの取り付けと接地が同時に行われ、組立工数の削減が可能になる。
【００２４】
カセット蓋に突設されてスピーカの周縁に当接するガイド壁で係止部を構成すると、ガイド壁がカセット蓋と一体成形され、コスト的に有利になる。
【図面の簡単な説明】
【図１】本発明に係る実施形態を示す分解斜視図である。
【図２】図１のカセット蓋の組立状態を裏側から見た斜視図である。
【図３】図１のカセット蓋を裏側から見た斜視図である。
【図４】図１と対応する従来例を示す図である。
【図５】ビデオカメラを示す斜視図である。
【符号の説明】
１  ビデオカメラ
２  カメラ部
３  ＶＴＲ部
４  カセット蓋
５  膨出部
６  スピーカ孔
７  カセット蓋シャーシ
７ａ  クリック
７ｂ  孔
７ｃ  スプリング片
８  メカシャーシ
８ａ  ガイド溝
９  ガイド壁
１０  ボス部
１１  スピーカ
１１ａ  マグネット
【図１】
2004328058.tif 000003
【図２】
2004328058.tif 000004
【図３】
2004328058.tif 000005
【図４】
2004328058.tif 000006
【図５】
2004328058.tif 000007